(57)【要約】【課題】工程を簡略化できる配線基板の製造方法を提供すること。【解決手段】準備工程では、コア基板１１及び電子部品１０１を準備する。絶縁層形成及び固定工程では、収容穴部９０に電子部品１０１を収容した後、最下樹脂絶縁層３３を形成するとともに、電子部品１０１とコア基板１１との隙間を最下樹脂絶縁層３３の一部で埋めて電子部品１０１をコア基板１１に固定する。開口部形成工程では、最下樹脂絶縁層３３における電子部品１０１とコア基板１１との隙間の直上位置を除去し、コア基板主面側導体５１及び部品主面側電極１１１の一部を露出させる開口部を形成する。主面側接続導体形成工程では、開口部内に主面側接続導体６１を形成し、コア基板主面側導体５１及び部品主面側電極１１１を接続する。【選択図】  図１
2007318090.tif 000002
【特許請求の範囲】
【請求項１】
コア主面及びコア裏面を有し、少なくとも前記コア主面側にて開口する収容穴部が形成され、前記コア主面上にコア基板主面側導体が配置されたコア基板を準備するとともに、部品主面及び部品裏面を有し、前記部品主面上に部品主面側電極が配置された電子部品を準備する準備工程と、
前記収容穴部に収容された前記電子部品と前記コア基板との隙間を樹脂穴埋材で埋めて、前記電子部品を前記コア基板に固定する固定工程と、
前記固定工程の後、前記コア主面、前記部品主面及び前記樹脂穴埋材の上に配線積層部の最下層をなす最下樹脂絶縁層を形成する絶縁層形成工程と、
前記最下樹脂絶縁層において前記隙間の直上位置の少なくとも一部を除去し、前記コア基板主面側導体及び前記部品主面側電極の一部を露出させる開口部を形成する開口部形成工程と、
前記開口部内に主面側接続導体を形成し、前記コア基板主面側導体及び前記部品主面側電極を接続する主面側接続導体形成工程と
を含む配線基板の製造方法。
【請求項２】
コア主面及びコア裏面を有し、少なくとも前記コア主面側にて開口する収容穴部が形成され、前記コア主面上にコア基板主面側導体が配置されたコア基板を準備するとともに、部品主面及び部品裏面を有し、前記部品主面上に部品主面側電極が配置された電子部品を準備する準備工程と、
前記収容穴部に前記電子部品を収容した後、前記コア主面及び前記部品主面上に、配線積層部の最下層をなす最下樹脂絶縁層を形成するとともに、併せて前記電子部品と前記コア基板との隙間を前記最下樹脂絶縁層の一部で埋めて前記電子部品を前記コア基板に固定する絶縁層形成及び固定工程と、
前記最下樹脂絶縁層において前記隙間の直上位置の少なくとも一部を除去し、前記コア基板主面側導体及び前記部品主面側電極の一部を露出させる開口部を形成する開口部形成工程と、
前記開口部内に主面側接続導体を形成し、前記コア基板主面側導体及び前記部品主面側電極を接続する主面側接続導体形成工程と
を含む配線基板の製造方法。
【請求項３】
前記電子部品は、前記部品主面及び前記部品裏面の間を貫通する複数のビア導体を有し、前記複数のビア導体に接続するとともに誘電体層を介して積層配置された複数の内部電極層を有し、前記部品主面側電極が前記部品主面上にて前記複数のビア導体の端部に接続されているキャパシタであることを特徴とする請求項１または２に記載の配線基板の製造方法。
【請求項４】
前記開口部形成工程では、前記最下樹脂絶縁層に対するレーザー加工により、前記開口部を形成するとともに、併せて前記部品主面側電極を露出させるビア穴を形成することを特徴とする請求項１乃至３のいずれか１項に記載の配線基板の製造方法。
【請求項５】
前記主面側接続導体形成工程では、無電解めっきによって前記主面側接続導体を形成することを特徴とする請求項１乃至４のいずれか１項に記載の配線基板の製造方法。
【請求項６】
前記主面側接続導体形成工程では、前記最下樹脂絶縁層上及び前記開口部の内面に対する無電解めっきを行った後にエッチングレジストを形成し、次いで電解めっきを行い、さらにエッチングレジストを除去してソフトエッチングを行うことにより、前記開口部内に前記主面側接続導体を形成するとともに、前記最下樹脂絶縁層上に配線積層部を構成する導体層をパターン形成することを特徴とする請求項１乃至５のいずれか１項に記載の配線基板の製造方法。
【請求項７】
前記主面側接続導体形成工程の後、前記コア基板及び前記最下樹脂絶縁層を貫通するように形成された複数のスルーホール導体の空洞部を絶縁樹脂材料で穴埋めするとともに、併せて前記主面側接続導体の箇所にできる凹部を穴埋めする穴埋工程を行うことを特徴とする請求項１乃至６のいずれか１項に記載の配線基板の製造方法。
【発明の詳細な説明】
【技術分野】
【０００１】
本発明は、コア基板に電子部品を埋め込み、さらにその表面に配線積層部を形成する配線基板の製造方法に関するものである。
【背景技術】
【０００２】
コンピュータのＣＰＵなどに使用される半導体集積回路素子（ＩＣチップ）は、近年ますます高速化、高機能化しており、これに付随して端子数が増え、端子間ピッチも狭くなる傾向にある。一般的にＩＣチップの底面には多数の端子が密集してアレイ状に配置されており、このような端子群はマザーボード側の端子群に対してフリップチップの形態で接続される。ただし、ＩＣチップ側の端子群とマザーボード側の端子群とでは端子間ピッチに大きな差があることから、ＩＣチップをマザーボード上に直接的に接続することは困難である。そのため、通常はＩＣチップをＩＣチップ搭載用配線基板上に搭載してなるパッケージを作製し、そのパッケージをマザーボード上に搭載するという手法が採用される。この種のパッケージを構成するＩＣチップ搭載用配線基板においては、ＩＣチップのスイッチングノイズの低減や電源電圧の安定化を図るために、キャパシタを設けることが提案されている。なお、ＩＣチップとキャパシタとをつなぐ配線が長くなると、配線のインダクタンス成分が増加して上記の効果が得られなくなるため、キャパシタはできるだけＩＣチップの近傍に配置されることが好ましい。その一例として、ＩＣチップの直下に位置するコア基板内にキャパシタを配置した配線基板が提案されている（例えば、特許文献１参照）。
【０００３】
なお、ＩＣチップに供給される電源電圧が不足してしまうと、ＩＣチップの誤動作につながってしまうため、ＩＣチップにできるだけ多くの電源を供給したいという要求がある。そこで、従来の配線基板には、ＩＣチップに電源を供給する複数の電源経路が設けられている。電源経路としては、コア基板を厚さ方向に貫通するスルーホール導体などを通ってＩＣチップに接続する第１電源経路や、キャパシタが有するビア導体を通ってＩＣチップに接続する第２電源経路などがある。
【０００４】
上記従来のＩＣチップ搭載用配線基板は、例えば以下のような手順で製造される。まず、コア主面及びコア裏面の両方にて開口する収容穴部を有する高分子材料製のコア基板を準備する。併せて、キャパシタ主面及びキャパシタ裏面にそれぞれ複数の電極を突設した埋め込み用キャパシタを準備する。次に、収容穴部のコア基板裏面側開口を粘着テープなどでシールし、この状態で収容穴部内に埋め込み用キャパシタを収容して、同キャパシタを仮固定する。そして、収容穴部の内面とキャパシタの側面との隙間を樹脂穴埋材で埋めた後にそれを硬化させる固定工程を行い、コア基板にキャパシタを固定する。この後、コア基板及びキャパシタからなる複合下地材の表面及び裏面に対して、高分子材料を主体とする樹脂絶縁層の形成及び導体層の形成を行う。その結果、所望の配線基板が得られる。なお、上記のキャパシタを収容穴部内において横方向に複数配置し、一部のキャパシタの電極とコア主面上の導体パターンとを接続導体で接続した配線基板も提案されているが、接続導体を外周部のキャパシタの電極にしか接続できないという問題がある。
【特許文献１】特開２００５−３９２４３号公報（図４など参照）
【発明の開示】
【発明が解決しようとする課題】
【０００５】
ところで、上記の接続導体を有する配線基板を製造するためには、コア基板にキャパシタを固定してから樹脂絶縁層や導体層の形成を行うまでの間に、接続導体を形成する工程が必要になる。しかし、接続導体の形成には、めっき層を形成する工程、めっき層上にエッチングレジストを形成する工程、めっき層に対するエッチングを行って接続導体とする工程、エッチングレジストを剥す工程等が必須である。そのため、工程が複雑になってしまい、配線基板の製造コストが上昇してしまう。なお近年では、コスト低減のために工程を減らすことが求められているため、上記問題の解決が必須となっている。
【０００６】
本発明は上記の課題に鑑みてなされたものであり、その目的は、工程を簡略化できる配線基板の製造方法を提供することにある。
【課題を解決するための手段】
【０００７】
そして上記課題を解決するための手段（手段１）としては、コア主面及びコア裏面を有し、少なくとも前記コア主面側にて開口する収容穴部が形成され、前記コア主面上にコア基板主面側導体が配置されたコア基板を準備するとともに、部品主面及び部品裏面を有し、前記部品主面上に部品主面側電極が配置された電子部品を準備する準備工程と、前記収容穴部に収容された前記電子部品と前記コア基板との隙間を樹脂穴埋材で埋めて、前記電子部品を前記コア基板に固定する固定工程と、前記固定工程の後、前記コア主面、前記部品主面及び前記樹脂穴埋材の上に配線積層部の最下層をなす最下樹脂絶縁層を形成する絶縁層形成工程と、前記最下樹脂絶縁層において前記隙間の直上位置の少なくとも一部を除去し、前記コア基板主面側導体及び前記部品主面側電極の一部を露出させる開口部を形成する開口部形成工程と、前記開口部内に主面側接続導体を形成し、前記コア基板主面側導体及び前記部品主面側電極を接続する主面側接続導体形成工程とを含む配線基板の製造方法がある。
【０００８】
従って、手段１の配線基板の製造方法によると、最下樹脂絶縁層に形成した開口部内に主面側接続導体を形成するため、主面側接続導体の形成を、最下樹脂絶縁層内への導体の形成と同時に行うことができる。これにより、工程が簡略化されるため、配線基板を容易に製造でき、配線基板の製造コストを低減できる。また、樹脂穴埋材が最下樹脂絶縁層と別体であるため、樹脂穴埋材の機能を電子部品を固定する機能に特化でき、樹脂穴埋材としてより固定力の強いものを用いることができる。
【０００９】
また、本発明の課題を解決するための別の手段（手段２）としては、コア主面及びコア裏面を有し、少なくとも前記コア主面側にて開口する収容穴部が形成され、前記コア主面上にコア基板主面側導体が配置されたコア基板を準備するとともに、部品主面及び部品裏面を有し、前記部品主面上に部品主面側電極が配置された電子部品を準備する準備工程と、前記収容穴部に前記電子部品を収容した後、前記コア主面及び前記部品主面上に、配線積層部の最下層をなす最下樹脂絶縁層を形成するとともに、併せて前記電子部品と前記コア基板との隙間を前記最下樹脂絶縁層の一部で埋めて前記電子部品を前記コア基板に固定する絶縁層形成及び固定工程と、前記最下樹脂絶縁層において前記隙間の直上位置の少なくとも一部を除去し、前記コア基板主面側導体及び前記部品主面側電極の一部を露出させる開口部を形成する開口部形成工程と、前記開口部内に主面側接続導体を形成し、前記コア基板主面側導体及び前記部品主面側電極を接続する主面側接続導体形成工程とを含む配線基板の製造方法がある。
【００１０】
従って、手段２の配線基板の製造方法によると、最下樹脂絶縁層に形成した開口部内に主面側接続導体を形成するため、主面側接続導体の形成を、最下樹脂絶縁層内への導体の形成と同時に行うことができる。これにより、工程が簡略化されるため、配線基板を容易に製造でき、配線基板の製造コストを低減できる。
【００１１】
しかも、最下樹脂絶縁層の形成と同時に電子部品の固定が行われるため、工程をよりいっそう簡略化できる。また、上記隙間を埋める材料が最下樹脂絶縁層の一部であるため、電子部品をコア基板に固定するに際して最下樹脂絶縁層とは別の材料を準備しなくても済む。よって、配線基板の製造に必要な材料が少なくなるため、配線基板の低コスト化を図ることが可能となる。
【００１２】
上記配線基板を構成するコア基板は、配線基板におけるコア部の一部分をなすものであって、例えばコア主面及びその反対側に位置するコア裏面を有する板状に形成される。かかるコア基板は、電子部品を収容するための収容穴部を有している。この収容穴部は、コア主面側のみにて開口する非貫通穴部であってもよく、あるいはコア主面側及びコア裏面側の両方にて開口する貫通穴部であってもよい。なお、「コア部」とは、コア基板と、配線積層部の最下層をなす最下樹脂絶縁層とからなる部分である。また、電子部品は、完全に埋設された状態で収容穴部に収容されていてもよいし、一部分が収容穴部の開口部から突出した状態で収容穴部に収容されていてもよい。
【００１３】
コア基板を形成する材料は特に限定されないが、好ましいコア基板は高分子材料を主体として形成される。コア基板を形成するための高分子材料の具体例としては、例えば、ＥＰ樹脂（エポキシ樹脂）、ＰＩ樹脂（ポリイミド樹脂）、ＢＴ樹脂（ビスマレイミド・トリアジン樹脂）、ＰＰＥ樹脂（ポリフェニレンエーテル樹脂）などがある。そのほか、これらの樹脂とガラス繊維（ガラス織布やガラス不織布）やポリアミド繊維等の有機繊維との複合材料を使用してもよい。
【００１４】
なお、前記コア基板主面側導体は、前記収容穴部の開口縁を包囲するように形成されたプレーン状導体またはネット状導体であり、前記コア主面及び前記コア裏面間を貫通するように形成された複数のスルーホール導体に接続されていることが好ましい。このようにすれば、コア基板主面側導体の断面積が大きくなって低抵抗化が図られる。従って、スルーホール導体、コア基板主面側導体及び主面側接続導体を通って部品主面側電極に接続する電気経路を用いた大電流の供給が容易になる。
【００１５】
上記配線基板を構成する電子部品は、部品主面及び部品裏面を有している。電子部品は、前記収容穴部に収容された状態で使用される。電子部品としては、前記部品主面及び前記部品裏面の間を貫通する複数のビア導体を有し、前記複数のビア導体に接続するとともに誘電体層を介して積層配置された複数の内部電極層を有し、前記部品主面側電極が前記部品主面上にて前記複数のビア導体の端部に接続されているキャパシタなどが挙げられる。また、他の電子部品としては、部品主面及び部品裏面を備えたセラミック焼結体を有し、部品主面及び部品裏面を貫通する複数のビア導体を有し、前記部品主面側電極が前記部品主面上にて前記複数のビア導体の端部に接続されているものの、上記複数の内部電極層を有しないためにキャパシタの機能を有しないセラミックチップなどが挙げられる。なお、電子部品としてキャパシタを用いれば、電子部品全体の小型化が図りやすくなり、ひいては配線基板全体の小型化も図りやすくなる。しかも、電子部品が上記のキャパシタであれば、小さいわりに高静電容量が達成しやすく、より安定した電源供給が可能となる。
【００１６】
なお、電子部品の部品主面（及び部品裏面）の面積は、収容穴部の開口部分の面積よりも小さいことがよく、特には、収容穴部の開口部分の面積よりも少しだけ小さいことが好ましい。このようにすれば、前記収容穴部に収容された前記電子部品と前記コア基板との隙間が小さくなるため、配線基板内において電気的な機能を何ら有しない領域を少なくすることができ、配線基板の小型化を図ることができる。さらに、電子部品の平面視での形状は、収容穴部の平面視での形状に近似していることが好ましく、例えば、収容穴部が平面視矩形状をなす場合、電子部品も平面視矩形状をなすことが好ましい。このようにすれば、上記隙間がよりいっそう小さくなるため、配線基板内において電気的な機能を何ら有しない領域をよりいっそう少なくすることができる。
【００１７】
前記誘電体層としては、アルミナ、窒化アルミニウム、窒化ほう素、炭化珪素、窒化珪素などといった高温焼成セラミックの焼結体が好適に使用されるほか、ホウケイ酸系ガラスやホウケイ酸鉛系ガラスにアルミナ等の無機セラミックフィラーを添加したガラスセラミックのような低温焼成セラミックの焼結体が好適に使用される。この場合、用途に応じて、チタン酸バリウム、チタン酸鉛、チタン酸ストロンチウムなどの誘電体セラミックの焼結体を使用することも好ましい。誘電体セラミックの焼結体を使用した場合、静電容量の大きなキャパシタを実現しやすくなる。
【００１８】
前記内部電極層及び前記ビア導体を形成する材料としては特に限定されないが、セラミックと同時に焼結しうる金属、例えば、ニッケル、モリブデン、タングステン、チタン等の使用が好適である。なお、低温焼成セラミックの焼結体を選択した場合、内部電極層及び前記ビア導体を形成する材料として、さらに銅や銀などの使用が可能となる。
【００１９】
前記配線積層部は、例えば高分子材料を主体とする層間絶縁層及び導体層を交互に接続した構造を有している。なお、配線積層部の表面に半導体集積回路素子が搭載される場合、半導体集積回路素子側の端子群と電子部品側の端子群とでは端子間ピッチに大きな差があるが、配線積層部を設けることで、両者を容易に接続できる。また、配線積層部は、前記コア主面及び前記部品主面などの上にのみ形成されるが、例えば層間絶縁層及び導体層を前記コア裏面及び前記部品裏面などの上にて交互に積層した構造を有する配線積層部がさらに形成されていてもよい。このように構成すれば、両方の配線積層部に電気回路を形成できるため、配線基板のよりいっそうの高機能化を図ることができる。
【００２０】
なお、前記部品主面側電極は、部品主面上の好適な箇所に配置することが可能である。しかし、前記部品主面側電極は、特に電子部品上の外周部に配置されていることが好ましい。このようにすれば、部品主面側電極と主面側接続導体との距離が短くなるため、主面側接続導体によるコア基板主面側導体と部品主面側電極との接続が容易になる。
【００２１】
また、前記電子部品が平面視で略矩形状である場合、前記主面側接続導体は、前記電子部品の有する各辺に少なくとも１つ配置された帯状パターンであってもよいし、前記電子部品の有する各辺に複数配置された帯状パターンであってもよい。さらに、前記主面側接続導体は、前記電子部品と前記コア基板との隙間の全域を覆うように配置された矩形枠状パターンであってもよい。主面側接続導体が帯状パターンであって、帯状パターンが各辺に少なくとも１つ配置される場合、主面側接続導体が増えて部品主面側電極に接続される電気経路の数が増えるため、低抵抗化を図ることができる。また、電子部品の各辺ごとに電位のバラツキが発生しにくくなる。一方、主面側接続導体が帯状パターンであって、帯状パターンが各辺に複数配置される場合、主面側接続導体がさらに増えて上記電気経路の数がさらに増えるため、さらなる低抵抗化を図ることができる。また、主面側接続導体が矩形枠状パターンである場合、上記電気経路の数は増えないものの、主面側接続導体の断面積は、帯状パターンである場合よりも大きくなるため、よりいっそうの低抵抗化を図ることができる。
【００２２】
以下、配線基板の製造方法について説明する。
【００２３】
準備工程では、電子部品と、それを収容固定するための収容穴部を有するコア基板とを、従来周知の手法により作成し、あらかじめ準備しておく。電子部品は例えば以下のように作製される。即ち、電子部品本体の部品主面上にペーストを印刷して部品主面側電極を形成する。さらに、所定温度で所定時間焼成を行えば、電子部品本体及びペーストが同時焼結し、電子部品が完成する。また、コア基板は例えば以下のように作製される。まず、基材の上面及び下面にサブ基材を形成し、上側のサブ基材の上面にコア基板主面側導体をパターン形成する。次に、基材及びサブ基材からなる積層体に対してルータを用いて孔あけ加工を行い、収容穴部となる貫通孔を所定位置に形成し、コア基板を得る。
【００２４】
準備工程後、手段１の製造方法では以下の工程を行う。即ち、固定工程を行い、コア基板の裏面側に粘着テープなどのマスキング材を貼り付けて収容穴部の裏面側開口をあらかじめシールした後、その収容穴部内に電子部品を収容する。この状態で収容穴部の内面と電子部品の側面との隙間に、高分子材料製の樹脂穴埋材が充填される。樹脂穴埋材としては熱硬化性樹脂が好適であり、これを使用した場合には充填後に加熱処理が行われる。その結果、硬化した樹脂穴埋材により電子部品が収容穴部内に固定される。前記固定工程の後、絶縁層形成工程を行い、複合下地材の主面（コア主面、部品主面、及び、樹脂穴埋材の主面側配線被形成部）の上に最下樹脂絶縁層を形成する。
【００２５】
ここで、上記隙間に樹脂穴埋材を充填する方法としては、上記隙間にディスペンサ装置を用いて樹脂穴埋材を充填することや、上記隙間にペースト印刷によって樹脂穴埋材を充填することなどが挙げられる。なお、前記絶縁層形成工程を行うにあたり、上記複合下地材の主面を研磨して複合下地材の主面を平坦化してもよい。
【００２６】
一方、手段２の製造方法では、準備工程後に以下の工程を行う。即ち、絶縁層形成及び固定工程を行い、上記手段１と同様の方法で前記収容穴部に前記電子部品を収容した後、複合下地材の主面（前記コア主面及び前記部品主面）上に最下樹脂絶縁層を形成する。それとともに、収容穴部の内面と電子部品の側面との隙間を最下樹脂絶縁層の一部で埋める。その結果、最下樹脂絶縁層の一部により電子部品が収容穴部内に固定される。
【００２７】
絶縁層形成工程または絶縁層形成及び固定工程の終了後、開口部形成工程を行う。具体的には、前記最下樹脂絶縁層において前記隙間の直上位置の少なくとも一部を除去し、前記コア基板主面側導体及び前記部品主面側電極の一部を露出させる開口部を形成する。開口部を形成する方法としては、ドリル機を用いた孔あけ加工、ルータ加工、レーザー加工、露光及び現像を行うフォトリソグラフィなどが挙げられるが、レーザー加工を用いれば、開口部形成工程を行うことで露出するコア基板主面側導体及び部品主面側電極が傷付きにくくなる。なお、前記開口部形成工程では、前記最下樹脂絶縁層に対するレーザー加工により、前記開口部を形成するとともに、併せて前記部品主面側電極を露出させるビア穴を形成することが好ましい。このようにすれば、開口部の形成とビア穴の形成とを別々に行わなくて済むため、工程をよりいっそう簡略化でき、配線基板の製造コストを低減できる。
【００２８】
さらに、主面側接続導体形成工程を行い、前記開口部内に主面側接続導体を形成し、前記コア基板主面側導体及び前記部品主面側電極を接続する。
【００２９】
ここで、前記主面側接続導体の例としては、めっき層、金属ペースト層、金属箔貼付層、スパッタリング層、蒸着層、イオンプレーティング層などが挙げられるが、これらの中でもめっき層（例えば銅めっき層）が好適である。めっき層は、短時間で比較的厚い層の形成が可能であり、配線基板の低コスト化に有利だからである。なお、主面側接続導体がめっき層である場合、前記主面側接続導体形成工程では、無電解めっきによって前記主面側接続導体を形成する。
【００３０】
さらに、前記主面側接続導体形成工程では、前記最下樹脂絶縁層上及び前記開口部の内面に対する無電解めっきを行った後にエッチングレジストを形成し、次いで電解めっきを行い、さらにエッチングレジストを除去してソフトエッチングを行うことにより、前記開口部内に前記主面側接続導体を形成するとともに、前記最下樹脂絶縁層上に配線積層部を構成する導体層をパターン形成することが好ましい。このようにすれば、主面側接続導体が無電解めっき層及び電解めっき層から構成されて厚くなるため、主面側接続導体の抵抗が小さくなり、電源供給を行う際の電圧降下が小さくなる。これにより、主面側接続導体に大電流を流すことができる。また、主面側接続導体の形成と導体層のパターン形成とが同時に行われるため、工程をよりいっそう簡略化でき、配線基板の製造コストを低減できる。
【００３１】
なお、前記主面側接続導体と前記コア基板主面側導体との接触面積を大きくすれば、主面側接続導体とコア基板主面側導体との接続信頼性が高くなる。両者の接触面積を大きくする手法としては、例えば、前記主面側接続導体を、前記コア基板主面側導体の側面及び上面の２面にて接合させることなどが挙げられる。同様に、前記主面側接続導体と前記部品主面側電極との接触面積を大きくすれば、主面側接続導体と部品主面側電極との接続信頼性が高くなる。両者の接触面積を大きくする手法としては、例えば、前記主面側接続導体を、前記部品主面側電極の側面及び上面の２面にて接合させることなどが挙げられる。
【００３２】
ところで、主面側接続導体形成工程において、主面側接続導体を、コア基板主面側導体や部品主面側電極に対して複数の面で接合させるようにすると、主面側接続導体の上面などに凹部ができる可能性がある。この場合、前記主面側接続導体形成工程の後、前記主面側接続導体の箇所にできる凹部を穴埋めする穴埋工程を行い、その上面を平坦化させることが好ましい。このようにすれば、凹部が解消されて平坦化された主面側接続導体の上面に導体層の形成が可能となり、配線積層部における配線の自由度が向上する。さらには、前記コア基板及び前記最下樹脂絶縁層を貫通するように形成された複数のスルーホール導体の空洞部を絶縁樹脂材料で穴埋めするとともに、併せて前記主面側接続導体の箇所にできる凹部を穴埋めする穴埋工程を行うことが好ましい。このようにすれば、上記空洞部の穴埋めと上記凹部の穴埋めとを別々に行わなくて済むため、工程をよりいっそう簡略化でき、配線基板の製造コストを低減できる。
【発明を実施するための最良の形態】
【００３３】
［第１実施形態］
【００３４】
以下、本発明の配線基板を具体化した第１実施形態を図面に基づき詳細に説明する。
【００３５】
図１に示されるように、本実施形態の配線基板１０は、ＩＣチップ搭載用の配線基板であって、略矩形板状のコア基板１１と、コア基板１１のコア主面１２（図１では上面）上に形成される第１配線積層部と、コア基板１１のコア裏面１３（図１では下面）上に形成される第２配線積層部とからなる。第１配線積層部は、同第１配線積層部の最下層をなすエポキシ樹脂製の最下樹脂絶縁層３３と、最下樹脂絶縁層３３上に形成される第１ビルドアップ層３１とによって構成されている。一方、第２配線積層部は、同第２配線積層部の最上層をなすエポキシ樹脂製の最上樹脂絶縁層３４と、最上樹脂絶縁層３４上に形成される第２ビルドアップ層３２とによって構成されている。
【００３６】
第１配線積層部を構成する最下樹脂絶縁層３３内における複数箇所には、ビア導体４７が形成されている。また、第１配線積層部を構成する第１ビルドアップ層３１は、エポキシ樹脂からなる樹脂絶縁層３５（いわゆる層間絶縁層）と、銅からなる導体層４２とを交互に積層した構造を有している。導体層４２は、ビア導体４７などに電気的に接続されている。また、樹脂絶縁層３５内における複数箇所にはビア導体４３が形成されており、樹脂絶縁層３５の表面上において各ビア導体４３の上端となる箇所には、端子パッド４４がアレイ状に形成されている。さらに、樹脂絶縁層３５の表面は、ソルダーレジスト３７によってほぼ全体的に覆われている。ソルダーレジスト３７の所定箇所には、端子パッド４４を露出させる開口部４６が形成されている。端子パッド４４の表面上には、複数のはんだバンプ４５が配設されている。各はんだバンプ４５は、ＩＣチップ２１（半導体集積回路素子）の面接続端子２２に電気的に接続されている。ＩＣチップ２１は、矩形平板状をなし、シリコンからなっている。なお、各端子パッド４４及び各はんだバンプ４５は、第１ビルドアップ層３１においてセラミックキャパシタ１０１の真上の領域内に位置しており、この領域がＩＣチップ搭載領域２３となる。ＩＣチップ搭載領域２３は、第１ビルドアップ層３１の表面３９上に設定されている。即ち、表面３９には、ＩＣチップ２１が搭載可能となっている。
【００３７】
図１に示されるように、前記第２配線積層部は、上述した第１配線積層部とほぼ同じ構造を有している。即ち、第２配線積層部を構成する前記最上樹脂絶縁層３４内における複数箇所には、ビア導体４７が形成されている。また、第２配線積層部を構成する前記第２ビルドアップ層３２は、エポキシ樹脂からなる樹脂絶縁層３６（いわゆる層間絶縁層）と、導体層４２とを交互に積層した構造を有している。導体層４２は、ビア導体４７などに電気的に接続されている。また、樹脂絶縁層３６内における複数箇所にはビア導体４３が形成されており、樹脂絶縁層３６の下面上において各ビア導体４３の下端となる箇所には、ビア導体４３を介して導体層４２に電気的に接続されるＢＧＡ用パッド４８が格子状に形成されている。さらに、樹脂絶縁層３６の下面は、ソルダーレジスト３８によってほぼ全体的に覆われている。ソルダーレジスト３８の所定箇所には、ＢＧＡ用パッド４８を露出させる開口部４０が形成されている。ＢＧＡ用パッド４８の表面上には、図示しないマザーボードとの電気的な接続を図るための複数のはんだバンプ４９が配設されている。そして、各はんだバンプ４９により、配線基板１０は図示しないマザーボード上に実装される。即ち、第２ビルドアップ層３２の表面には、マザーボードが接続可能になっている。
【００３８】
図１に示されるように、前記コア基板１１は、ガラスエポキシからなる基材２０１と、基材２０１の上面及び下面に形成され、シリカフィラーなどの無機フィラーを添加したエポキシ樹脂からなるサブ基材２０４と、同じく基材２０１の上面及び下面に形成され、銅からなる導体層２０３とによって構成されている。また、コア基板１１には、複数のスルーホール導体１６がコア主面１２、コア裏面１３及び導体層２０３を貫通するように形成されている。かかるスルーホール導体１６は、コア基板１１のコア主面１２側とコア裏面１３側とを接続導通するとともに、導体層２０３に電気的に接続している。なお、スルーホール導体１６の内部は、例えばエポキシ樹脂などの閉塞体１７で埋められている。スルーホール導体１６の上端は、最下樹脂絶縁層３３の表面上にある導体層４２の一部に電気的に接続されており、スルーホール導体１６の下端は、最上樹脂絶縁層３４の下面上にある導体層４２の一部に電気的に接続されている。また、コア基板１１は、コア主面１２の中央部及びコア裏面１３の中央部にて開口する平面視で矩形状の収容穴部９０を１つ有している。即ち、収容穴部９０は貫通穴部である。
【００３９】
図１〜図３に示されるように、コア基板１１のコア主面１２上には、銅からなるコア基板主面側電源パターン５１（コア基板主面側導体）が配置されており、コア基板１１のコア裏面１３上には、同じく銅からなるコア基板裏面側グランドパターン５２（コア基板裏面側導体）が配置されている。コア基板主面側電源パターン５１及びコア基板裏面側グランドパターン５２は、スルーホール導体１６に電気的に接続されている。コア基板主面側電源パターン５１及びコア基板裏面側グランドパターン５２は、導体層４２よりも厚く形成されている。なお本実施形態では、導体層４２の厚さが２５μｍに設定され、コア基板主面側電源パターン５１及びコア基板裏面側グランドパターン５２の厚さが３５μｍに設定されている。また、コア基板主面側電源パターン５１及びコア基板裏面側グランドパターン５２は、収容穴部９０の開口縁を包囲するように矩形枠状に形成されたプレーン状導体である（図２参照）。なお、コア基板主面側電源パターン５１及びコア基板裏面側グランドパターン５２の外周縁は、コア基板１１のコア主面１２及びコア裏面１３の外周縁よりも内側に位置しており、コア基板主面側電源パターン５１及びコア基板裏面側グランドパターン５２の内周縁は、収容穴部９０の開口縁よりもコア基板１１の外周側に位置している。
【００４０】
収容穴部９０内には、図４〜図６等に示すセラミックキャパシタ１０１が、埋め込まれた状態で収容されている。本実施形態のセラミックキャパシタ１０１は、縦６．０ｍｍ×横１２．０ｍｍ×厚さ０．８ｍｍの平面視略矩形板状である。なお、セラミックキャパシタ１０１の厚さは、０．２ｍｍ以上１．０ｍｍ以下であることが好ましい。仮に、０．２ｍｍ未満であると、ＩＣチップ搭載領域２３上にＩＣチップ２１を接合する際の応力をセラミックキャパシタ１０１によって低減することができず、支持体として不十分となる。一方、１．０ｍｍよりも大きいと、配線基板１０が肉厚になってしまう。より好ましくは、セラミックキャパシタ１０１の厚さは、０．４ｍｍ以上０．８ｍｍ以下であることがよい。セラミックキャパシタ１０１は、コア基板１１においてＩＣチップ搭載領域２３の真下の領域に配置されている。なお、ＩＣチップ搭載領域２３の面積（ＩＣチップ２１において面接続端子２２が形成される面の面積）は、セラミックキャパシタ１０１のキャパシタ主面１０２の面積よりも小さくなるように設定されている。セラミックキャパシタ１０１の厚さ方向から見た場合、ＩＣチップ搭載領域２３は、セラミックキャパシタ１０１のキャパシタ主面１０２内に位置している。なお、上記の面積の大小関係は限定されるものではなく、ＩＣチップ搭載領域２３の面積がキャパシタ主面１０２の面積よりも大きくなっていてもよい。
【００４１】
図１，図４〜図６等に示されるように、本実施形態のセラミックキャパシタ１０１（電子部品）は、いわゆるビアアレイタイプのセラミックキャパシタである。セラミックキャパシタ１０１を構成するセラミック焼結体１０４は、部品主面としてのキャパシタ主面１０２（図１では上面）、及び、部品裏面としてのキャパシタ裏面１０３（図１では下面）を有する板状物である。なお、セラミック焼結体１０４のキャパシタ主面１０２上には前記最下樹脂絶縁層３３が形成され、セラミック焼結体１０４のキャパシタ裏面１０３には前記最上樹脂絶縁層３４が形成されている。セラミック焼結体１０４は、セラミック誘電体層１０５を介して第１内部電極層１４１と第２内部電極層１４２とを交互に積層配置した構造を有している。セラミック誘電体層１０５は、高誘電率セラミックの一種であるチタン酸バリウムの焼結体からなり、第１内部電極層１４１及び第２内部電極層１４２間の誘電体（絶縁体）として機能する。第１内部電極層１４１及び第２内部電極層１４２は、いずれもニッケルを主成分として形成された層であって、セラミック焼結体１０４の内部において一層おきに配置されている。
【００４２】
セラミック焼結体１０４には、多数のビアホール１３０が形成されている。これらのビアホール１３０は、セラミック焼結体１０４をその厚さ方向に貫通するとともに、セラミック焼結体１０４の全面にわたって格子状（アレイ状）に配置されている。各ビアホール１３０内には、セラミック焼結体１０４のキャパシタ主面１０２及びキャパシタ裏面１０３間を連通する複数のビア導体１３１，１３２が、ニッケルを主材料として形成されている。ビア導体１３１，１３２の上側の端面はキャパシタ主面１０２に位置しており、ビア導体１３１，１３２の下側の端面はキャパシタ裏面１０３に位置している。各電源用ビア導体１３１は、各第１内部電極層１４１を貫通しており、それら同士を互いに電気的に接続している。各グランド用ビア導体１３２は、各第２内部電極層１４２を貫通しており、それら同士を互いに電気的に接続している。各電源用ビア導体１３１及び各グランド用ビア導体１３２は、全体としてアレイ状に配置されている。なお、説明の便宜上、ビア導体１３１，１３２を５列×５列で図示したが、実際にはさらに多くの列が存在している。
【００４３】
そして図２，図４〜図６等に示されるように、セラミック焼結体１０４のキャパシタ主面１０２上には、上面側電源用電極１１１（部品主面側電極）と、複数の上面側グランド用電極１１２（部品主面側電極）とが突設されている。また、セラミック焼結体１０４のキャパシタ裏面１０３上には、複数の裏面側電源用電極１２１（部品裏面側電極）と、裏面側グランド用電極１２２（部品裏面側電極）とが突設されている。ここで、上面側電源用電極１１１は、キャパシタ主面１０２の略全体を覆うプレーン状導体であり、各上面側グランド用電極１１２を避けるための孔を複数有している。同様に、裏面側電源用電極１２１は、キャパシタ裏面１０３の略全体を覆うプレーン状導体であり、各裏面側グランド用電極１２２を避けるための孔を複数有している。なお、上面側電源用電極１１１及び裏面側電源用電極１２１の外周縁は、セラミックキャパシタ１０１のキャパシタ主面１０２及びキャパシタ裏面１０３の外周縁よりも内側に位置している（図２参照）。また、各上面側グランド用電極１１２は、キャパシタ主面１０２において互いに平行に配置された帯状パターンであり、各裏面側グランド用電極１２２は、キャパシタ裏面１０３において互いに平行に配置された帯状パターンである。キャパシタ主面１０２側にある電極１１１，１１２は、ビア導体４７、第１ビルドアップ層３１（導体層４２、ビア導体４３）、端子パッド４４、はんだバンプ４５及びＩＣチップ２１の面接続端子２２を介して、ＩＣチップ２１に電気的に接続される。一方、キャパシタ裏面１０３側にある電極１２１，１２２は、図示しないマザーボードが有する電極（接触子）に対して、ビア導体４７、導体層４２、ビア導体４３、ＢＧＡ用パッド４８及びはんだバンプ４９を介して電気的に接続される。また、上面側電源用電極１１１は、複数の電源用ビア導体１３１におけるキャパシタ主面１０２側の端面に対して直接接続されており、上面側グランド用電極１１２は、複数のグランド用ビア導体１３２におけるキャパシタ主面１０２側の端面に対して直接接続されている。一方、裏面側電源用電極１２１は、複数の電源用ビア導体１３１におけるキャパシタ裏面１０３側の端面に対して直接接続されており、裏面側グランド用電極１２２は、複数のグランド用ビア導体１３２におけるキャパシタ裏面１０３側の端面に対して直接接続されている。よって、電源用電極１１１，１２１は電源用ビア導体１３１及び第１内部電極層１４１に導通しており、グランド用電極１１２，１２２はグランド用ビア導体１３２及び第２内部電極層１４２に導通している。
【００４４】
図４等に示されるように、電極１１１，１１２は、ニッケルを主材料として形成され、表面が図示しない銅めっき層によって全体的に被覆されている。同様に、電極１２１，１２２も、ニッケルを主材料として形成され、表面が図示しない銅めっき層によって被覆されている。これら電極１２１，１２２及びビア導体１３１，１３２は、前記ＩＣチップ２１の略中心部の直下に配置されている。そして、上面側電源用電極１１１及び上面側グランド用電極１１２は、ＩＣチップ２１の略中心部の直下から前記セラミックキャパシタ１０１の外周方向にかけて形成されている。なお、上面側電源用電極１１１及び裏面側グランド用電極１２２は、キャパシタ外周部にも配置されている。
【００４５】
例えば、マザーボード側から電極１２１，１２２を介して通電を行い、第１内部電極層１４１−第２内部電極層１４２間に電圧を加えると、第１内部電極層１４１に例えばプラスの電荷が蓄積し、第２内部電極層１４２に例えばマイナスの電荷が蓄積する。その結果、セラミックキャパシタ１０１がキャパシタとして機能する。また、セラミックキャパシタ１０１では、電源用ビア導体１３１及びグランド用ビア導体１３２がそれぞれ交互に隣接して配置され、かつ、電源用ビア導体１３１及びグランド用ビア導体１３２を流れる電流の方向が互いに逆向きになるように設定されている。これにより、インダクタンス成分の低減化が図られている。
【００４６】
図１〜図３等に示されるように、前記収容穴部９０の内面とセラミックキャパシタ１０１の側面との隙間は、前記最下樹脂絶縁層３３の一部を構成する樹脂充填部３３ａによって埋められている。この樹脂充填部３３ａは、セラミックキャパシタ１０１をコア基板１１に固定するとともに、セラミックキャパシタ１０１及びコア基板１１の面方向や厚さ方向への変形を自身の弾性変形により吸収する機能を有している。なお、セラミックキャパシタ１０１は、平面視略正方形状をなしており、四隅にＣ０．６のテーパを有している。これにより、温度変化に伴う樹脂充填部３３ａの変形時において、セラミックキャパシタ１０１の角部への応力集中を緩和できるため、樹脂充填部３３ａのクラックの発生を防止できる。
【００４７】
樹脂充填部３３ａは、コア基板１１の前記コア主面１２及びセラミックキャパシタ１０１の前記キャパシタ主面１０２側に位置する主面側配線被形成部９３を有している。また、樹脂充填部３３ａは、コア基板１１の前記コア裏面１３及びセラミックキャパシタ１０１の前記キャパシタ裏面１０３側に位置する裏面側配線被形成部９４を有している。主面側配線被形成部９３上には上面側接続パターン６１（主面側接続導体）が配置されている。上面側接続パターン６１は、セラミックキャパシタ１０１の有する各辺に１つずつ配置された帯状パターンであり（図２参照）、前記コア基板主面側電源パターン５１と前記上面側電源用電極１１１とを接続するようになっている。詳述すると、上面側接続パターン６１の一端がコア基板主面側電源パターン５１の側面５３（内周面）及び上面５４にて接合するとともに、上面側接続パターン６１の他端が上面側電源用電極１１１の側面（外周面）及び上面にて接合している（図３参照）。なお、本実施形態の上面側接続パターン６１は、銅めっき層からなり、上面が平坦になっている。
【００４８】
図１，図３に示されるように、裏面側配線被形成部９４上には裏面側接続パターン６２（裏面側接続導体）が配置されている。裏面側接続パターン６２は、上面側接続パターン６１と略同様の構成を有している。即ち、裏面側接続パターン６２は、セラミックキャパシタ１０１の有する４つの辺に１つずつ配置された帯状パターンであり、前記コア基板裏面側グランドパターン５２と前記裏面側グランド用電極１２２とを接続するようになっている。詳述すると、裏面側接続パターン６２は、コア基板裏面側グランドパターン５２の側面（内周面）及び下面にて接合するとともに、裏面側グランド用電極１２２の側面（外周面）及び下面にて接合している。なお、本実施形態の裏面側接続パターン６２は、銅めっき層からなり、下面が平坦になっている。
【００４９】
以上の構成により、配線基板１０内には、前記ＩＣチップ２１に電源を供給するための複数の電気経路（第１電源経路や第２電源経路など）が形成される。第１電源経路は、前記スルーホール導体１６、前記コア基板主面側電源パターン５１及び前記上面側接続パターン６１を通って前記上面側電源用電極１１１に接続する経路である。第２電源経路は、前記ビア導体１３１を通って上面側電源用電極１１１に接続する経路である。そして、上面側電源用電極１１１は、ビア導体４７、第１ビルドアップ層３１（導体層４２、ビア導体４３）、端子パッド４４、はんだバンプ４５及びＩＣチップ２１の面接続端子２２を介して、ＩＣチップ２１に電気的に接続される。
【００５０】
次に、本実施形態の配線基板１０の製造方法について述べる。
【００５１】
準備工程では、コア基板１１とセラミックキャパシタ１０１とを、それぞれ従来周知の手法により作製し、あらかじめ準備しておく。
【００５２】
コア基板１１は以下のように作製される。まず、縦４００ｍｍ×横４００ｍｍ×厚み０．８ｍｍの基材２０１の両面に、厚み３５μｍの銅箔２０２が貼付された銅張積層板（図７参照）を準備する。なお、基材２０１の厚みは、０．２ｍｍ以上１．０ｍｍ以下であることが好ましい。次に、銅張積層板の両面の銅箔２０２のエッチングを行って導体層２０３を例えばサブトラクティブ法によってパターニングする（図８参照）。具体的には、無電解銅めっきの後、この無電解銅めっき層を共通電極として電解銅めっきを施す。さらにドライフィルムをラミネートし、同ドライフィルムに対して露光及び現像を行うことにより、ドライフィルムを所定パターンに形成する。この状態で、不要な電解銅めっき層、無電解銅めっき層及び銅箔２０２をエッチングで除去する。その後、ドライフィルムを剥離する。次に、基材２０１の上面及び下面と導体層２０３とを粗化した後、基材２０１の上面及び下面に、無機フィラーが添加されたエポキシ樹脂フィルム（厚さ６００μｍ）を熱圧着により貼付し、サブ基材２０４を形成する（図９参照）。
【００５３】
次に、上側のサブ基材２０４の上面にコア基板主面側電源パターン５１をパターン形成するとともに、下側のサブ基材２０４の下面にコア基板裏面側グランドパターン５２をパターン形成する（図１０参照）。具体的には、上側のサブ基材２０４の上面及び下側のサブ基材２０４の下面に対する無電解銅めっきを行った後にエッチングレジストを形成し、次いで電解銅めっきを行う。さらに、エッチングレジストを除去してソフトエッチングを行う。次に、基材２０１及びサブ基材２０４からなる積層体に対してルータを用いて孔あけ加工を行い、収容穴部９０となる貫通孔を所定位置に形成し、コア基板１１を得る（図１１参照）。なお、収容穴部９０となる貫通孔は、縦１４．０ｍｍ×横３０．０ｍｍで、四隅に半径１．５ｍｍのアールを有する断面略正方形状の孔である。
【００５４】
また、セラミックキャパシタ１０１は以下のように作製される。即ち、セラミックのグリーンシートを形成し、このグリーンシートに内部電極層用ニッケルペーストをスクリーン印刷して乾燥させる。これにより、後に第１内部電極層１４１となる第１内部電極部と、第２内部電極層１４２となる第２内部電極部とが形成される。次に、第１内部電極部が形成されたグリーンシートと第２内部電極部が形成されたグリーンシートとを交互に積層し、シート積層方向に押圧力を付与することにより、各グリーンシートを一体化してグリーンシート積層体を形成する。
【００５５】
さらに、レーザー加工機を用いてグリーンシート積層体にビアホール１３０を多数個貫通形成し、図示しないペースト圧入充填装置を用いて、ビア導体用ニッケルペーストを各ビアホール１３０内に充填する。次に、グリーンシート積層体の上面上にペーストを印刷し、グリーンシート積層体の上面側にて各導体部の上端面を覆うように上面側電源用電極１１１及び上面側グランド用電極１１２を形成する。また、グリーンシート積層体の下面上にペーストを印刷し、グリーンシート積層体の下面側にて各導体部の下端面を覆うように裏面側電源用電極１２１及び裏面側グランド用電極１２２を形成する。
【００５６】
この後、グリーンシート積層体の乾燥を行い、各電極１１１，１１２，１２１，１２２をある程度固化させる。次に、グリーンシート積層体を脱脂し、さらに所定温度で所定時間焼成を行う。その結果、チタン酸バリウム及びペースト中のニッケルが同時焼結し、セラミック焼結体１０４となる。
【００５７】
次に、得られたセラミック焼結体１０４が有する各電極１１１，１１２，１２１，１２２に対して無電解銅めっき（厚さ１０μｍ程度）を行う。その結果、各電極１１１，１１２，１２１，１２２の上に銅めっき層が形成され、セラミックキャパシタ１０１が完成する。
【００５８】
続く絶縁層形成及び固定工程では、マウント装置（ヤマハ発動機株式会社製）を用いて、収容穴部９０内にセラミックキャパシタ１０１を収容する（図１２参照）。このとき、収容穴部９０のコア裏面１３側開口は、剥離可能な粘着テープ２１０でシールされている。この粘着テープ２１０は、支持台（図示略）によって支持されている。かかる粘着テープ２１０の粘着面には、セラミックキャパシタ１０１が貼り付けられて仮固定されている。
【００５９】
その後、コア主面１２及びキャパシタ主面１０２上に感光性エポキシ樹脂を被着し、露光及び現像を行うことにより、最下樹脂絶縁層３３を形成する。併せて、最下樹脂絶縁層３３の一部である樹脂充填部３３ａにより、収容穴部９０の内面とセラミックキャパシタ１０１の側面との隙間を埋める（図１３参照）。その後、加熱処理を行うと、最下樹脂絶縁層３３及び樹脂充填部３３ａが硬化して、セラミックキャパシタ１０１がコア基板１１に固定される。そして、この時点で、粘着テープ２１０を剥離する。
【００６０】
次に、コア裏面１３及びキャパシタ裏面１０３に感光性エポキシ樹脂を被着し、露光及び現像を行うことにより、最上樹脂絶縁層３４を形成する（図１４参照）。続く開口部形成工程では、ＹＡＧレーザーまたは炭酸ガスレーザーを用いて最下樹脂絶縁層３３に対するレーザー孔あけ加工を行い、上面側接続パターン６１が形成されるべき位置に主面側開口部２２１を形成する（図１５参照）。また、最上樹脂絶縁層３４に対するレーザー孔あけ加工を行い、裏面側接続パターン６２が形成されるべき位置に裏面側開口部２２２を形成する。具体的には、最下樹脂絶縁層３３において上記隙間の直上位置を全体的に除去して主面側開口部２２１を形成し、前記コア基板主面側電源パターン５１及び前記上面側電源用電極１１１の一部を露出させる。なお、コア基板主面側電源パターン５１及び上面側電源用電極１１１の高さが異なる場合、低いほうの上面よりも主面側開口部２２１の底面を低くして両者を露出させる。同様に、最上樹脂絶縁層３４において上記隙間の直下位置を全体的に除去して裏面側開口部２２２を形成し、前記コア基板裏面側グランドパターン５２及び前記裏面側グランド用電極１２２の一部を露出させる。なお、コア基板裏面側グランドパターン５２及び裏面側グランド用電極１２２の高さが異なる場合、高いほうの下面よりも裏面側開口部２２２の底面を高くして両者を露出させる。併せて、最下樹脂絶縁層３３においてビア導体４７が形成されるべき位置に、上面側電源用電極１１１及び上面側グランド用電極１１２を露出させるビア穴２２３をそれぞれ形成する。また、最上樹脂絶縁層３４においてビア導体４７が形成されるべき位置に、裏面側電源用電極１２１及び裏面側グランド用電極１２２を露出させるビア穴２２４をそれぞれ形成する。
【００６１】
さらに、ドリル機を用いて孔あけ加工を行い、コア基板１１及び樹脂絶縁層３３，３４を貫通する貫通孔２３１を所定位置にあらかじめ形成しておく（図１６参照）。そして、主面側接続導体形成工程及び裏面側接続導体形成工程を実施する（図１７参照）。具体的には、最下樹脂絶縁層３３、最上樹脂絶縁層３４、開口部２２１，２２２の内面、及び、貫通孔２３１の内面に対する無電解銅めっきを行った後にエッチングレジストを形成し、次いで電解銅めっきを行う。さらに、エッチングレジストを除去してソフトエッチングを行う。これにより、主面側開口部２２１内に上面側接続パターン６１が形成されるとともに、裏面側開口部２２２内に裏面側接続パターン６２が形成され、最下樹脂絶縁層３３上及び最上樹脂絶縁層３４上に導体層４２がパターン形成される。これと同時に、貫通孔２３１内にスルーホール導体１６が形成されるとともに、各ビア穴２２３，２２４の内部にビア導体４７が形成される。その結果、コア基板主面側電源パターン５１及び上面側電源用電極１１１が上面側接続パターン６１によって接続され、コア基板裏面側グランドパターン５２及び裏面側グランド用電極１２２が裏面側接続パターン６２によって接続される。
【００６２】
主面側接続導体形成工程及び裏面側接続導体形成工程の後、穴埋工程を実施する。具体的には、スルーホール導体１６の空洞部を絶縁樹脂材料（エポキシ樹脂）で穴埋めし、閉塞体１７を形成する（図１８参照）。
【００６３】
次に、ビルドアップ層形成工程を実施する。ビルドアップ層形成工程では、従来周知の手法に基づいて最下樹脂絶縁層３３の上に第１ビルドアップ層３１を形成するとともに、最上樹脂絶縁層３４の上に第２ビルドアップ層３２を形成する。具体的には、樹脂絶縁層３３，３４上に感光性エポキシ樹脂を被着し、露光及び現像を行うことにより、ビア導体４３が形成されるべき位置に盲孔２５１，２５２を有する樹脂絶縁層３５，３６を形成する（図１８参照）。次に、従来公知の手法に従って電解銅めっきを行い、前記盲孔２５１，２５２の内部にビア導体４３を形成するとともに、樹脂絶縁層３５上に端子パッド４４を形成し、樹脂絶縁層３６上にＢＧＡ用パッド４８を形成する。
【００６４】
次に、樹脂絶縁層３５，３６上に感光性エポキシ樹脂を塗布して硬化させることにより、ソルダーレジスト３７，３８を形成する。次に、所定のマスクを配置した状態で露光及び現像を行い、ソルダーレジスト３７，３８に開口部４０，４６をパターニングする。さらに、端子パッド４４上にはんだバンプ４５を形成し、かつ、ＢＧＡ用パッド４８上にはんだバンプ４９を形成する。その結果、コア基板１１及びビルドアップ層３１，３２からなる配線基板１０が完成する。
【００６５】
従って、本実施形態によれば以下の効果を得ることができる。
【００６６】
（１）本実施形態の配線基板１０の製造方法によれば、最下樹脂絶縁層３３に形成した主面側開口部２２１内に上面側接続パターン６１を形成するため、上面側接続パターン６１の形成を最下樹脂絶縁層３３内のビア導体４７の形成と同時に行うことができる。同様に、最上樹脂絶縁層３４に形成した裏面側開口部２２２内に裏面側接続パターン６２を形成するため、裏面側接続パターン６２の形成を最上樹脂絶縁層３４内のビア導体４７の形成と同時に行うことができる。以上により、めっき層を形成するめっき層形成工程、めっき層上にエッチングレジストを形成するレジスト形成工程、めっき層に対するエッチングを行って上面側接続パターン６１及び裏面側接続パターン６２とするエッチング工程、エッチングレジストを剥す剥離工程等が簡略化される。このため、配線基板１０を容易に製造でき、配線基板１０の製造コストを低減できる。
【００６７】
しかも、最下樹脂絶縁層３３の形成と同時にセラミックキャパシタ１０１の固定が行われるため、工程をよりいっそう簡略化できる。また、収容穴部９０の内面とセラミックキャパシタ１０１の側面との隙間を埋める材料が最下樹脂絶縁層３３の一部を構成する樹脂充填部３３ａであるため、セラミックキャパシタ１０１をコア基板１１に固定するに際して最下樹脂絶縁層３３とは別の材料を準備しなくても済む。よって、配線基板１０の製造に必要な材料が少なくなるため、配線基板１０の低コスト化を図ることが可能となる。
【００６８】
（２）ところで、コア基板１１にセラミックキャパシタ１０１を固定してから最下樹脂絶縁層３３及び最上樹脂絶縁層３４の形成を行うまでの間に、上面側接続パターン６１及び裏面側接続パターン６２を形成することが考えられる。この場合、上面側接続パターン６１及び裏面側接続パターン６２は、めっき層形成工程、レジスト形成工程、エッチング工程、剥離工程等を行うことによりパターン形成される。しかし、セラミックキャパシタ１０１は各電極１１１，１１２，１２１，１２２が存在するために凹凸が多く、セラミック焼結体１０４に反りがある場合もある。ゆえに、めっき層の形成やエッチングを行って上面側接続パターン６１及び裏面側接続パターン６２を形成することは困難である。
【００６９】
一方、本実施形態では、最下樹脂絶縁層３３及び最上樹脂絶縁層３４を形成した後で、開口部２２１，２２２を形成して上面側接続パターン６１及び裏面側接続パターン６２を形成している。これにより、セラミックキャパシタ１０１の凹凸やセラミック焼結体１０４の反りに影響されることなく、上面側接続パターン６１及び裏面側接続パターン６２を形成することができる。
【００７０】
（３）ところで、セラミックキャパシタ１０１を固定してから樹脂絶縁層３３，３４を形成するまでの間に、上面側接続パターン６１及び裏面側接続パターン６２を形成する場合、樹脂絶縁層３３，３４を形成する際に生じる熱応力などにより、上面側接続パターン６１及び裏面側接続パターン６２が破損する可能性がある。しかし、本実施形態では、樹脂絶縁層３３，３４の形成後に上面側接続パターン６１及び裏面側接続パターン６２を形成するため、熱応力などによる上面側接続パターン６１及び裏面側接続パターン６２の破損が防止される。ゆえに、上面側接続パターン６１及び裏面側接続パターン６２の接続信頼性が向上する。
【００７１】
（４）従来、キャパシタを収容穴部内において横方向に複数配置し、一部のキャパシタの電極とコア主面上の導体パターンとを接続導体で接続した配線基板も提案されている。しかし、接続導体を収容穴部の外周部にあるキャパシタの電極にしか接続できないため、中央部のキャパシタ（収容穴部の中央部）に電源を供給できないという問題がある。
【００７２】
一方、本実施形態の製造方法によって配線基板１０を製造した結果、１つのセラミックキャパシタ１０１が収容穴部９０内に配置され、コア基板主面側電源パターン５１と上面側電源用電極１１１とが上面側接続パターン６１で接続される。ここで、上面側電源用電極１１１はキャパシタ主面１０２の略全体を覆うプレーン状導体であるため、電源をコア基板１１側からセラミックキャパシタ１０１の中央部（収容穴部９０の中央部）に供給できる。また、コア基板主面側電源パターン５１と上面側電源用電極１１１とが上面側接続パターン６１で接続されることにより、コア基板主面側電源パターン５１、上面側接続パターン６１、上面側電源用電極１１１及び第１配線積層部を通ってＩＣチップ２１に接続する電気経路（第１電源経路）が形成される。その結果、ＩＣチップ２１に接続される電気経路の数が増えるため、配線基板１０内の低抵抗化が図られて電圧降下が小さくなる。ゆえに、ＩＣチップ２１に確実に電源を供給できるため、ＩＣチップ２１を十分に動作させることができ、ＩＣチップ２１の誤動作を防止できる。よって、電気的特性や信頼性等に優れた配線基板１０を得ることができる。
【００７３】
（５）本実施形態の上面側接続パターン６１は、開口部２２１，２２２内に形成されることで立体的な形状となるため、厚さを稼ぐことができる。その結果、上面側接続パターン６１の抵抗が小さくなり、電源供給を行う際の電圧降下も小さくなる。これにより、上面側接続パターン６１に大電流を流すことができるため、ＩＣチップ２１への十分な電源供給が可能となる。
［第２実施形態］
【００７４】
以下、本発明の配線基板を具体化した第２実施形態を図面に基づき詳細に説明する。
【００７５】
図１９，図２０に示されるように、本実施形態の配線基板１０Ａは、最下樹脂絶縁層３３の一部を構成する樹脂充填部３３ａではなく、最下樹脂絶縁層３３とは別の樹脂穴埋材９２を用いて、収容穴部９０の内面とセラミックキャパシタ１０１の側面との隙間を埋めている点が前記第１実施形態と異なる。樹脂穴埋材９２は、高分子材料（本実施形態ではエポキシ等の熱硬化性樹脂）からなっている。従って、本実施形態の配線基板１０Ａの製造方法についても、前記第１実施形態とは異なっている。
【００７６】
即ち、本実施形態では、セラミックキャパシタ１０１が仮固定された時点で、コア基板１１のコア主面１２及びセラミックキャパシタ１０１のキャパシタ主面１０２に最下樹脂絶縁層３３を形成せずに、固定工程を行う。具体的には、収容穴部９０の内面とセラミックキャパシタ１０１の側面との隙間に、ディスペンサ装置（Ａｓｙｍｔｅｋ社製）を用いて、熱硬化性樹脂製の樹脂穴埋材９２（株式会社ナミックス製  アンダフィル材）を充填する（図１９参照）。このとき、樹脂穴埋材９２は、主面側配線被形成部９３がコア主面１２及びキャパシタ主面１０２と同じ高さになるまで充填される。その後、加熱処理を行うと、樹脂穴埋材９２が硬化して、セラミックキャパシタ１０１が収容穴部９０内に固定される。
【００７７】
次に、絶縁層形成工程を実施し、コア主面１２、キャパシタ主面１０２及び樹脂穴埋材９２の上に最下樹脂絶縁層３３を形成する（図１９参照）。さらに、開口部形成工程を行う。具体的には、最下樹脂絶縁層３３に対するレーザー孔あけ加工を行い、主面側開口部２２１及びビア穴２２３を形成する（図２０参照）。そして、この時点で、粘着テープ２１０を剥離し、コア基板１１のコア裏面１３及びセラミックキャパシタ１０１のキャパシタ裏面１０３に最上樹脂絶縁層３４を形成する。
【００７８】
従って、本実施形態では、上面側接続パターン６１の形成を最下樹脂絶縁層３３内のビア導体４７の形成と同時に行うことで工程が簡略化されるため、配線基板１０を容易に製造でき、配線基板１０の製造コストを低減できる。また、樹脂穴埋材９２が最下樹脂絶縁層３３と別体であるため、樹脂穴埋材９２をセラミックキャパシタ１０１の固定に最適な材料によって形成できる。ゆえに、セラミックキャパシタ１０１が強固に固定されるため、樹脂穴埋材９２の上に形成される上面側接続パターン６１の接続信頼性が向上する。
【００７９】
さらに、開口部形成工程において、最下樹脂絶縁層３３に対するレーザー孔あけ加工を行って主面側開口部２２１を形成している。なお、最下樹脂絶縁層３３の下側にある樹脂穴埋材９２は、開口部形成工程の前段階で硬化されているために最下樹脂絶縁層３３よりも硬い。このため、レーザーの出力を、最下樹脂絶縁層３３のみを加工して樹脂穴埋材９２を加工しない程度に調整しやすくなる。ゆえに、主面側開口部２２１の深さの制御がしやすくなる。
【００８０】
なお、本実施形態を以下のように変更してもよい。
【００８１】
・上記第２実施形態では、樹脂穴埋材９２の充填及び最下樹脂絶縁層３３の形成が終了した後で、最下樹脂絶縁層３３に主面側開口部２２１を形成して上面側接続パターン６１を形成していた。しかし、樹脂穴埋材９２の充填が終了した時点（図２１参照）で、主面側配線被形成部９３の上（コア基板主面側電源パターン５１と上面側電源用電極１１１との間）に上面側接続パターン６１を形成し（図２２参照）、その後に最下樹脂絶縁層３３を形成するようにしてもよい。この場合、上面側接続パターン６１は、平板状をなし、コア基板主面側電源パターン５１及び上面側電源用電極１１１と同じ厚さとなる。即ち、上面側接続パターン６１の一端は、コア基板主面側電源パターン５１の側面５３のみに接合し、上面側接続パターン６１の他端は、上面側電源用電極１１１の側面のみに接合する。
【００８２】
・上記実施形態の収容穴部９０は、コア基板１１のコア主面１２側及びコア裏面１３側の両方にて開口する貫通穴部であったが、図２３に示す別の実施形態の配線基板１０Ｂのように、コア主面１２のみにて開口する非貫通穴部であってもよい。
【００８３】
・上記第１実施形態では、収容穴部９０の内面とセラミックキャパシタ１０１の側面との隙間は、最下樹脂絶縁層３３の一部を構成する樹脂充填部３３ａのみによって充填されていた。しかし、図２４に示す別の実施形態の配線基板１０Ｃのように、上記隙間は、最下樹脂絶縁層３３の一部を構成する樹脂充填部３３ａと、最上樹脂絶縁層３４の一部を構成する樹脂充填部３３ｂとによって充填されていてもよい。
【００８４】
この場合、セラミックキャパシタ１０１を仮固定した状態で、コア基板１１のコア主面１２及びセラミックキャパシタ１０１のキャパシタ主面１０２に最下樹脂絶縁層３３を形成するとともに、樹脂充填部３３ａにより、収容穴部９０の内面とセラミックキャパシタ１０１の側面との隙間の上半分を埋める（図２５参照）。そして、この時点で、粘着テープ２１０を剥離する。次に、コア基板１１のコア裏面１３及びセラミックキャパシタ１０１のキャパシタ裏面１０３に最上樹脂絶縁層３４を形成するとともに、樹脂充填部３３ｂによって上記隙間の下半分を埋める（図２６参照）。このようにすれば、収容穴部９０内に樹脂を完全に行き渡らせることが容易になるため、セラミックキャパシタ１０１を確実にコア基板１１に固定できる。また、樹脂充填部３３ａのみを収容穴部９０に充填する場合、最下樹脂絶縁層３３を厚く形成する必要があるが、樹脂充填部３３ａと樹脂充填部３３ｂとを収容穴部９０に充填するようにすれば、最下樹脂絶縁層３３を厚く形成しなくても済む。
【００８５】
・上記実施形態では、上面側接続パターン６１及び裏面側接続パターン６２が形成されるべき位置にそれぞれ開口部２２１，２２２を形成するにあたり、樹脂絶縁層３３，３４において、収容穴部９０の内面とセラミックキャパシタ１０１の側面との隙間の直上位置及び直下位置を全体的に除去していた。しかし、開口部２２１，２２２を形成するにあたり、樹脂絶縁層３３，３４において上記隙間の直上位置及び直下位置を部分的に除去するようにしてもよい。即ち、直上位置及び直下位置の少なくとも一部を除去すれば、上面側接続パターン６１及び裏面側接続パターン６２の形成が可能となる。
【００８６】
・上記実施形態の穴埋工程では、複数のスルーホール導体１６の空洞部を絶縁樹脂材料で穴埋めするようになっていた。そして、形成される上面側接続パターン６１及び裏面側接続パターン６２は、上面（または下面）が平坦になっていた。しかし、図２７に示される配線基板１０Ｄのように、上面側接続パターン６１及び裏面側接続パターン６２は、凹部６３ができる導体であってもよい。この場合、穴埋工程において、スルーホール導体１６の穴埋めに併せ、各凹部６３を上記空洞部を穴埋めする絶縁樹脂材料（閉塞体１７）と同じ絶縁材料で穴埋めし、その上面を平坦化してもよい。このようにすれば、上面側接続パターン６１及び裏面側接続パターン６２の上面に導体層６４の形成が可能となり、配線積層部における配線の自由度が向上する。また、上記空洞部の穴埋めと上記凹部６３の穴埋めとを別々に行う場合に比べて工程を簡略化できるため、配線基板１０Ｄの製造コストを低減できる。
【００８７】
・上記実施形態の製造方法に代えて、例えば以下に示すような製造方法で配線基板１０Ｅを製造してもよい。
【００８８】
まず、上記実施形態の製造方法に準じて絶縁層形成及び固定工程までの工程を実施して図１３に示す状態とした後、次いでセラミックキャパシタ１０１から粘着テープ２１０を剥がす。このとき露出するコア基板裏面側グランドパターン５２、グランド用電極１２２は、高さが等しくて段差が殆どなく、いわゆる面一の状態になっている（図２８参照）。なお、コア基板１１のコア裏面１３、グランド用電極１２２及びセラミックキャパシタ１０１のキャパシタ裏面１０３についても同様の関係にある。
【００８９】
そして、ここではコア裏面１３及びキャパシタ裏面１０３上への最下樹脂絶縁層３４の形成を行うことなく、ドリル機を用いて孔あけ加工を行い、コア基板１１及び樹脂絶縁層３３を貫通するスルーホール形成用の貫通孔２３１を所定位置に形成する。そして、主面側接続導体形成工程及び裏面側接続導体形成工程を実施する。具体的には、無電解銅めっきを行った後に所定部位にエッチングレジストを形成し、次いで電解銅めっきを行う。さらに、エッチングレジストを除去してソフトエッチングを行い、不必要な無電解銅めっきを除去する。これにより、コア主面１２側においては、主面側開口部２２１内に上面側接続パターン６１が形成されるとともに、最下樹脂絶縁層３３上に導体層４２がパターン形成される。また、コア裏面１３側においては、コア基板裏面側グランドパターン５２とグランド用電極１２２とをつなぐ下面側接続パターン６２が形成される。これと同時に、貫通孔２３１内にスルーホール導体１６が形成されるとともに、各ビア穴２２３の内部にビア導体４７が形成される（図２９参照）。
【００９０】
そして、上記のような主面側接続導体形成工程及び裏面側接続導体形成工程の後、穴埋工程を実施し、さらにビルドアップ層形成工程を実施して、配線基板１０Ｅを完成させる。
【００９１】
このようにして製造された配線基板１０Ｅは、例えば、図２８，図２９における下面側をチップ搭載面側として用いることが好ましく、この場合にはビルドアップ層の表面に高い平坦性を確保することができる。よって、チップ搭載面にて露出する端子パッド４４表面のコプラナリティが高くなり、結果としてＩＣチップ２１の接続信頼性を向上させることができる。また、この製造方法によると、コア裏面１３側の最下樹脂絶縁層３４の形成、及びそれに対する主面側開口部２２１やビア穴２２４の形成を省略できるので、上記実施形態に比較して工数を少なくすることが可能となる。また、この方法によれば、幅の広い下面側接続パターン６２の形成が比較的容易になる。
【００９２】
次に、特許請求の範囲に記載された技術的思想のほかに、前述した実施形態によって把握される技術的思想を以下に列挙する。
【００９３】
（１）コア主面及びコア裏面を有し、少なくとも前記コア主面側にて開口する収容穴部が形成され、前記コア主面上にコア基板主面側導体が配置されたコア基板を準備するとともに、キャパシタ主面及びキャパシタ裏面を有し、前記キャパシタ主面に端部が位置する複数のビア導体を有し、前記複数のビア導体に接続するとともに誘電体層を介して複数積層配置された複数の内部電極層を有し、前記キャパシタ主面上に前記複数のビア導体の端部に接続するキャパシタ主面側電極が配置されたビアアレイタイプのキャパシタを準備する準備工程と、前記収容穴部に前記キャパシタを収容した後、前記コア主面及び前記キャパシタ主面上に、配線積層部の最下層をなす最下樹脂絶縁層を形成するとともに、併せて前記キャパシタと前記コア基板との隙間を前記最下樹脂絶縁層の一部で埋めて前記キャパシタを前記コア基板に固定する絶縁層形成及び固定工程と、前記最下樹脂絶縁層において前記隙間の直上位置の少なくとも一部を除去し、前記コア基板主面側導体及び前記キャパシタ主面側電極の一部を露出させる開口部を形成する開口部形成工程と、前記開口部内に主面側接続導体を形成し、前記コア基板主面側導体及び前記キャパシタ主面側電極を接続する主面側接続導体形成工程とを含む配線基板の製造方法。
【００９４】
（２）コア主面及びコア裏面を有し、少なくとも前記コア主面側にて開口する収容穴部が形成され、前記コア主面上にコア基板主面側導体が配置されたコア基板を準備するとともに、キャパシタ主面及びキャパシタ裏面を有し、前記キャパシタ主面上にキャパシタ主面側電極が配置されたセラミックキャパシタを準備する準備工程と、前記収容穴部に前記セラミックキャパシタを収容した後、前記コア主面及び前記キャパシタ主面上に、配線積層部の最下層をなす最下樹脂絶縁層を形成するとともに、併せて前記セラミックキャパシタと前記コア基板との隙間を前記最下樹脂絶縁層の一部で埋めて前記セラミックキャパシタを前記コア基板に固定する絶縁層形成及び固定工程と、前記最下樹脂絶縁層において前記隙間の直上位置の少なくとも一部を除去し、前記コア基板主面側導体及び前記キャパシタ主面側電極の一部を露出させる開口部を形成する開口部形成工程と、前記開口部内に主面側接続導体を形成し、前記コア基板主面側導体及び前記キャパシタ主面側電極を接続する主面側接続導体形成工程とを含む配線基板の製造方法。
【００９５】
（３）コア主面及びコア裏面を有し、前記コア主面側及び前記コア裏面側にて開口する収容穴部が形成され、前記コア主面上にコア基板主面側導体が配置され、前記コア裏面上にコア基板裏面側導体が配置されたコア基板を準備するとともに、部品主面及び部品裏面を有し、前記部品主面上に部品主面側電極が配置され、前記部品裏面上に部品裏面側電極が配置された電子部品を準備する準備工程と、前記収容穴部に前記電子部品を収容した後、前記コア主面及び前記部品主面上に、第１配線積層部の最下層をなす最下樹脂絶縁層を形成するとともに、併せて前記電子部品と前記コア基板との隙間を前記最下樹脂絶縁層の一部で埋めて前記電子部品を前記コア基板に固定する絶縁層形成及び固定工程と、前記絶縁層形成及び固定工程後、前記コア裏面及び前記部品裏面上に、第２配線積層部の最上層をなす最上樹脂絶縁層を形成する絶縁層形成工程と、前記最下樹脂絶縁層において前記隙間の直上位置の少なくとも一部を除去し、前記コア基板主面側導体及び前記部品主面側電極の一部を露出させる主面側開口部を形成するとともに、前記最上樹脂絶縁層において前記隙間の直下位置の少なくとも一部を除去し、前記コア基板裏面側導体及び前記部品裏面側電極の一部を露出させる裏面側開口部を形成する開口部形成工程と、前記主面側開口部内に主面側接続導体を形成し、前記コア基板主面側導体及び前記部品主面側電極を接続するとともに、前記裏面側開口部内に裏面側接続導体を形成し、前記コア基板裏面側導体及び前記部品裏面側電極を接続する主面側接続導体形成工程とを含む配線基板の製造方法。
【００９６】
（４）コア主面及びコア裏面を有し、前記コア主面側及び前記コア裏面側にて開口する収容穴部が形成され、前記コア主面上にコア基板主面側導体が配置され、前記コア裏面上にコア基板裏面側導体が配置されたコア基板を準備するとともに、キャパシタ主面及びキャパシタ裏面を有し、前記キャパシタ主面に端部が位置する複数のビア導体を有し、前記複数のビア導体に接続するとともに誘電体層を介して複数積層配置された複数の内部電極層を有し、前記キャパシタ主面上に前記複数のビア導体の端部に接続するキャパシタ主面側電極が配置され、前記キャパシタ裏面上にキャパシタ裏面側電極が配置されたキャパシタを準備する準備工程と、前記収容穴部に前記キャパシタを収容した後、前記コア主面及び前記キャパシタ主面上に、第１配線積層部の最下層をなす最下樹脂絶縁層を形成するとともに、併せて前記キャパシタと前記コア基板との隙間を前記最下樹脂絶縁層の一部で埋めて前記キャパシタを前記コア基板に固定する絶縁層形成及び固定工程と、前記絶縁層形成及び固定工程後、前記コア裏面及び前記キャパシタ裏面上に、第２配線積層部の最上層をなす最上樹脂絶縁層を形成する絶縁層形成工程と、前記最下樹脂絶縁層において前記隙間の直上位置の少なくとも一部を除去し、前記コア基板主面側導体及び前記キャパシタ主面側電極の一部を露出させる主面側開口部を形成するとともに、前記最上樹脂絶縁層において前記隙間の直下位置の少なくとも一部を除去し、前記コア基板裏面側導体及び前記キャパシタ裏面側電極の一部を露出させる裏面側開口部を形成する開口部形成工程と、前記主面側開口部内に主面側接続導体を形成し、前記コア基板主面側導体及び前記キャパシタ主面側電極を接続する主面側接続導体形成工程と、前記裏面側開口部内に裏面側接続導体を形成し、前記コア基板裏面側導体及び前記キャパシタ裏面側電極を接続する裏面側接続導体形成工程とを含む配線基板の製造方法であって、前記ビア導体は、複数の電源用ビア導体と複数のグランド用ビア導体とを含み、前記複数の内部電極層は、前記複数の電源用ビア導体に接続する複数の第１内部電極層と、前記複数のグランド用ビア導体に接続する複数の第２内部電極層とを含み、前記キャパシタ主面側電極は、前記キャパシタ主面上に配置され前記複数の電源用ビア導体の端部に接続する第１キャパシタ主面側電極と、前記キャパシタ主面上に配置され前記複数のグランド用ビア導体の端部に接続する第２キャパシタ主面側電極とを有し、前記キャパシタ裏面側電極は、前記キャパシタ裏面上に配置され前記複数の電源用ビア導体の端部に接続する第１キャパシタ裏面側電極と、前記キャパシタ裏面上に配置され前記複数のグランド用ビア導体の端部に接続する第２キャパシタ裏面側電極とを有し、前記主面側接続導体形成工程において、前記主面側接続導体は、前記コア基板主面側導体であるコア基板主面側電源パターンと前記第１キャパシタ主面側電極とを接続し、前記裏面側接続導体形成工程において、前記裏面側接続導体は、前記コア基板裏面側導体であるコア基板裏面側グランドパターンと前記第２キャパシタ裏面側電極とを接続することを特徴とする配線基板の製造方法。
【図面の簡単な説明】
【００９７】
【図１】本発明を具体化した第１実施形態の配線基板を示す概略断面図。
【図２】同じく、コア基板、セラミックキャパシタ及び上面側接続パターンなどの関係を示す概略平面図。
【図３】同じく、上面側接続パターンによる接続を説明するための要部断面図。
【図４】同じく、セラミックキャパシタを示す概略断面図。
【図５】同じく、セラミックキャパシタの上面を示す概略平面図。
【図６】同じく、セラミックキャパシタの下面を示す概略平面図。
【図７】同じく、配線基板の製造方法の説明図。
【図８】同じく、配線基板の製造方法の説明図。
【図９】同じく、配線基板の製造方法の説明図。
【図１０】同じく、配線基板の製造方法の説明図。
【図１１】同じく、配線基板の製造方法の説明図。
【図１２】同じく、配線基板の製造方法の説明図。
【図１３】同じく、配線基板の製造方法の説明図。
【図１４】同じく、配線基板の製造方法の説明図。
【図１５】同じく、配線基板の製造方法の説明図。
【図１６】同じく、配線基板の製造方法の説明図。
【図１７】同じく、配線基板の製造方法の説明図。
【図１８】同じく、配線基板の製造方法の説明図。
【図１９】第２実施形態における配線基板の製造方法の説明図。
【図２０】同じく、配線基板の製造方法の説明図。
【図２１】他の実施形態における配線基板の製造方法の説明図。
【図２２】他の実施形態における配線基板の製造方法の説明図。
【図２３】他の実施形態の配線基板を示す概略断面図。
【図２４】他の実施形態の配線基板を示す概略断面図。
【図２５】他の実施形態における配線基板の製造方法の説明図。
【図２６】他の実施形態における配線基板の製造方法の説明図。
【図２７】他の実施形態の配線基板を示す概略断面図。
【図２８】他の実施形態における配線基板の製造方法の説明図。
【図２９】他の実施形態における配線基板の製造方法の説明図。
【符号の説明】
【００９８】
１０，１０Ａ，１０Ｂ，１０Ｃ，１０Ｄ，１０Ｅ…配線基板
１１…コア基板
１２…コア主面
１３…コア裏面
１６…スルーホール導体
３１…配線積層部を構成する第１ビルドアップ層
３３…配線積層部を構成する最下樹脂絶縁層
４２…配線積層部を構成する導体層
５１…コア基板主面側導体としてのコア基板主面側電源パターン
６１…主面側接続導体としての上面側接続パターン
６３…凹部
９０…収容穴部
９２…樹脂穴埋材
１０１…電子部品及びキャパシタとしてのセラミックキャパシタ
１０２…部品主面としてのキャパシタ主面
１０３…部品裏面としてのキャパシタ裏面
１０５…誘電体層としてのセラミック誘電体層
１１１…部品主面側電極としての上面側電源用電極
１１２…部品主面側電極としての上面側グランド用電極
１３１…ビア導体としての電源用ビア導体
１３２…ビア導体としてのグランド用ビア導体
１４１…内部電極層としての第１内部電極層
１４２…内部電極層としての第２内部電極層
２２１…開口部としての主面側開口部
２２３…ビア穴
【図１】
2007318090.tif 000003
【図２】
2007318090.tif 000004
【図３】
2007318090.tif 000005
【図４】
2007318090.tif 000006
【図５】
2007318090.tif 000007
【図６】
2007318090.tif 000008
【図７】
2007318090.tif 000009
【図８】
2007318090.tif 000010
【図９】
2007318090.tif 000011
【図１０】
2007318090.tif 000012
【図１１】
2007318090.tif 000013
【図１２】
2007318090.tif 000014
【図１３】
2007318090.tif 000015
【図１４】
2007318090.tif 000016
【図１５】
2007318090.tif 000017
【図１６】
2007318090.tif 000018
【図１７】
2007318090.tif 000019
【図１８】
2007318090.tif 000020
【図１９】
2007318090.tif 000021
【図２０】
2007318090.tif 000022
【図２１】
2007318090.tif 000023
【図２２】
2007318090.tif 000024
【図２３】
2007318090.tif 000025
【図２４】
2007318090.tif 000026
【図２５】
2007318090.tif 000027
【図２６】
2007318090.tif 000028
【図２７】
2007318090.tif 000029
【図２８】
2007318090.tif 000030
【図２９】
2007318090.tif 000031